【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
形状を湾曲させることが可能な表示手段のうち所定の表示領域に表示されている表示対象をスクロールさせるためのスクロール操作を受け付ける操作手段と、
前記表示手段の形状が第１の形状である場合に、前記表示対象における第１の方向の端部が、前記所定の表示領域のうち第１位置よりも前記第１の方向と逆方向の第２の方向にスクロールしないように、前記スクロール操作に応じた前記表示対象のスクロールを行うように制御し、
前記表示手段の形状が前記第１の形状よりも湾曲した第２の形状である場合には、前記表示対象における前記第１の方向の端部が前記所定の表示領域のうち前記第１位置よりも前記第２の方向にスクロールできるように、前記スクロール操作に応じた前記表示対象のスクロールを行うように制御する制御手段と
を有することを特徴とする表示制御装置。
【請求項２】
前記表示手段が前記第１の形状となっているか前記第２の形状となっているかを判別する判別手段を更に有し、前記制御手段は、前記判別手段の結果に応じた制御を行うことを特徴とする請求項１に記載の表示制御装置。
【請求項３】
前記判別手段は、前記表示手段の曲がりを検知する曲げ検知センサーからの出力に基づいて判別を行うことを特徴とする請求項２に記載の表示制御装置。
【請求項４】
前記制御手段は、前記表示手段が前記第２の形状である場合は、前記表示対象における前記第１の方向の端部が前記第１の位置よりも前記第２の方向に位置する第２の位置よりも前記第２の方向にスクロールしないように、前記スクロール操作に応じた前記表示対象のスクロールを行うように制御することを特徴とする請求項１乃至３のいずれか１項に記載の表示制御装置。
【請求項５】
前記制御手段は、前記表示手段の形状が第１の形状である場合に、前記表示対象における前記第１の方向の端部が、前記所定の表示領域のうち第１位置に表示されている場合には、前記第２の方向へのスクロール操作があってもスクロールを行わないように制御することを特徴とする請求項１乃至４のいずれか１項に記載の表示制御装置。
【請求項６】
前記第１の位置は、前記所定の表示領域における前記第１の方向の端の位置であることを特徴とする請求項１乃至５のいずれか１項に記載の表示制御装置。
【請求項７】
前記制御手段は、前記表示手段が前記第２の形状である場合、前記表示対象における前記第１の方向の端部が、前記所定の表示領域のうち第１位置より前記第２の方向に表示されるようにスクロールされたことに応じて、前記表示対象における前記第２の方向の端部が、前記所定の表示領域のうち前記第１の方向の端の位置から表示されるように制御することを特徴とする請求項１乃至６のいずれか１項に記載の表示制御装置。
【請求項８】
前記第１の方向は上あるいは下であることを特徴とする請求項１乃至７のいずれか１項に記載の表示制御装置。
【請求項９】
前記表示対象は、複数の項目よりなる項目列であることを特徴とする請求項１乃至８のいずれか１項に記載の表示制御装置。
【請求項１０】
前記項目は、画像、メニュー項目、アイコンの少なくとも１つであることを特徴とする請求項９に記載の表示制御装置。
【請求項１１】
前記スクロールは、前記表示対象の一部を前記所定の表示領域に表示した状態から、前記表示対象の他の部分を表示させるように表示範囲を変更する動作であることを特徴とする請求項１乃至１０のいずれか１項に記載の表示制御装置。
【請求項１２】
前記表示対象は、画像、Ｗｅｂページ、表、文書、地図の少なくとも１つであることを特徴とする請求項１１に記載の表示制御装置。
【請求項１３】
前記スクロール操作は、タッチパネルにタッチしたままタッチ位置を移動させる操作であることを特徴とする請求項１乃至１２のいずれか１項に記載の表示制御装置。
【請求項１４】
形状を湾曲させることが可能な表示手段のうち所定の表示領域に表示されている表示対象をスクロールさせるためのスクロール操作を受け付ける操作手段と、
前記表示手段の形状が第１の形状である場合に、前記スクロール操作に応じて、該スクロール操作中に、前記表示対象における第１の方向の端部が、前記所定の表示領域のうち第１の位置よりも前記第１の方向と逆方向の第２の方向までスクロールされた後、該スクロール操作が終了したことに応じて、前記表示対象における前記第１の方向の端部が前記第１の位置まで移動するように前記表示対象を前記第１の方向にスクロールし、
前記表示手段の形状が前記第１の形状よりも湾曲した第２の形状である場合に、前記スクロール操作に応じて、該スクロール操作中に、前記表示対象における前記第１の方向の端部が、前記所定の表示領域のうち前記第１の位置よりも前記第２の方向にある第２の位置までスクロールされた後、該スクロール操作が終了したことに応じて、前記表示対象における前記第１の方向の端部が前記第２の位置まで移動するように前記表示対象を前記第１の方向にスクロールするように制御する制御手段と
を有することを特徴とする表示制御装置。
【請求項１５】
前記第２の形状は、前記表示手段の表示面を外側とした弧の形状であることを特徴とする請求項１乃至１４のいずれか１項に記載の表示制御装置。
【請求項１６】
前記第２の形状は、前記表示手段の表示面を外側としたロール状の形状であることを特徴とする請求項１乃至１５のいずれか１項に記載の表示制御装置。
【請求項１７】
形状を湾曲させることが可能な表示手段のうち所定の表示領域に表示されている表示対象をスクロールさせるためのスクロール操作を受け付ける操作ステップと、
前記表示手段の形状が第１の形状である場合に、前記表示対象における第１の方向の端部が、前記所定の表示領域のうち第１位置よりも前記第１の方向と逆方向の第２の方向にスクロールしないように、前記スクロール操作に応じた前記表示対象のスクロールを行うように制御し、
前記表示手段の形状が前記第１の形状よりも湾曲した第２の形状である場合には、前記表示対象における前記第１の方向の端部が前記所定の表示領域のうち前記第１位置よりも前記第２の方向にスクロールできるように、前記スクロール操作に応じた前記表示対象のスクロールを行うように制御する制御ステップと
を有することを特徴とする表示制御装置の制御方法。
【請求項１８】
形状を湾曲させることが可能な表示手段のうち所定の表示領域に表示されている表示対象をスクロールさせるためのスクロール操作を受け付ける操作ステップと、
前記表示手段の形状が第１の形状である場合に、前記スクロール操作に応じて、該スクロール操作中に、前記表示対象における第１の方向の端部が、前記所定の表示領域のうち第１の位置よりも前記第１の方向と逆方向の第２の方向までスクロールされた後、該スクロール操作が終了したことに応じて、前記表示対象における前記第１の方向の端部が前記第１の位置まで移動するように前記表示対象を前記第１の方向にスクロールし、
前記表示手段の形状が前記第１の形状よりも湾曲した第２の形状である場合に、前記スクロール操作に応じて、該スクロール操作中に、前記表示対象における前記第１の方向の端部が、前記所定の表示領域のうち前記第１の位置よりも前記第２の方向にある第２の位置までスクロールされた後、該スクロール操作が終了したことに応じて、前記表示対象における前記第１の方向の端部が前記第２の位置まで移動するように前記表示対象を前記第１の方向にスクロールするように制御する制御ステップと
を有することを特徴とする表示制御装置の制御方法。
【請求項１９】
コンピュータを、請求項１乃至１６のいずれか１項に記載された表示制御装置の各手段として機能させるためのプログラム。
【請求項２０】
コンピュータを、請求項１乃至１６のいずれか１項に記載された表示制御装置の各手段として機能させるためのプログラムを格納したコンピュータ読み取り可能な記憶媒体。